(57)【要約】【課題】特別の加工を施さずに括りロープをそのまま利用し、括り動作の確実性を高め、動物及びロープ種類を限定しない汎用性に優れ、構造簡単であって安価に製造でき、捕獲後に剛性を有する操作体を分離可能とし、括りロープだけの拘束動作を可能として取扱性の良くする。【解決手段】括りロープ操作具１は、括りロープ３０の絞り輪３２の結び部３３を載置可能面積が確保され、面状材によって形成される摺動部２と、摺動部２の一端が起立状態に形成される起立部３と、側面に位置する摺動部２に対し、相対的に軸方向摺動可能に係合ピン６と係合孔7とが係合し、開口端８が起立部３と対向して摺動部２の摺動時に結び部３３を挟持可能とし、挟持時に括りロープ３０の一部を内部９に収納できる円筒状の収納部４と、収納部４の反開口端側に設けられ、長尺パイプ材の操作パイプ３１が取付可能である接続部５とで構成される。【選択図】  図１
2005253410.tif 000002
【特許請求の範囲】
【請求項１】
括りロープの絞り輪の分岐部分を載置可能な面積が確保され、面状材によって形成される摺動部と、
前記摺動部の一端が起立状態に形成される起立部と、
側面に位置する前記摺動部に対し、相対的に軸方向摺動可能に係合し、開口端が前記起立部と対向して前記摺動部の摺動動作によって、前記分岐部分を挟持可能とし、前記挟持時に括りロープの少なくとも一部を内部に収納できる筒形状の収納部と、
前記収納部の反開口端側に設けられ、長尺材の操作体が取付可能である接続部とで、構成されることを特徴とする括りロープ操作具。
【請求項２】
上記接続部が長さ調節可能な長尺材であって上記操作体を兼用し、上記収納部から連続的に形成されること、を特徴とする請求項１に記載される括りロープ操作具。
【請求項３】
上記括りロープがワイヤロープであり、上記絞り輪の分岐部分が絞り具であり、上記収納部と上記起立部とで前記絞り具が挟持される際、前記絞り具を係止する係止部が、前記収納部に設けられること、を特徴とする請求項１又は２に記載される括りロープ操作具。
【発明の詳細な説明】
【技術分野】
【０００１】
本発明は、犬，猫等の愛玩動物、羊，牛，馬等の家畜、及び猪，鹿等の狩猟獣，保護獣の首，足，鼻面，上顎等の各部位を括るための各種括りロープを操作する際に使用する括りロープ操作具に関する。
【背景技術】
【０００２】
犬，羊，猪等の動物を捕える手段、又は一時的に動きを拘束する手段として、括りロープが広く利用されている。例えば、繊維ロープが括りロープとして使用される場合、非特許文献１に示すわな結び等によって、絞り・緩み可能な絞り輪を括りロープの端部に形成し、投げ動作によって動物の首等に絞り輪を掛け、括りロープを引っ張ることで、絞り輪が絞られて動物を拘束し、また、括りロープを使って動物の動きを制限できることとなる。他方、猪等のどう猛な動物対策として、ワイヤロープを括りロープとして使用する場合、絞り輪の形成には絞り具を使用するのが一般的である。しかし、投げ動作によって動物に対して絞り輪を掛ける場合、動物の部位への動作が不確実となるため、先端が二股状の二股棒を併用し、絞り輪の分岐部分を二股棒の二股部分上に載置して使用している。また、他の手段としては、特許文献１，２（動物捕獲器，野犬捕獲用具）にて開示されるように、絞り輪（輪差縄，ループ）が、剛性を有する操作体（把持棒，筒体）内を移動する操作ロープ（移動棒，ワイヤー）の元端の把持部（ハンドル，抜け防止用具）を引っ張ることによって括り動作を行い、止部材（係合体，弛緩防止杆）によって締め状態を維持している。更に、括りロープの絞り輪が、ロープでなく剛体であって、一対の半円状捕獲環に構成される特許文献３の捕獲器も開示されている。
【０００３】
【特許文献１】実開昭５８−１３０８２号公報
【特許文献２】実開昭６３−１２４３８６号公報
【特許文献３】特開２００２−３３０６８９号公報
【非特許文献１】「決定版ひもとロープの結び方」、著者  小暮幹雄、発行所  株式会社主婦の友社、２００１年３月２０日第１刷、３２頁
【発明の開示】
【発明が解決しようとする課題】
【０００４】
従来のロープに絞り輪を設けた基本の括りロープに対して、二股状棒を併用しても、絞り輪の分岐部分を載置するだけでは、括り動作の確実性は必ずしも十分といえない。この確実性を高めるために上述の特許文献１〜３が提案されたが、ロープに加工を加えて個別に構成の異なる専用具となっているため、部品点数も多く高価となるだけでなく、対象動物の種類が限定され、使用するロープの種類も限定されて、汎用性にも欠けるという問題がある。また、剛性のある操作体を利用するため括りロープ長が限定され、かつ動物を捕えた状態にて剛体を分離することができず、括りロープだけで捕獲後の動物に対する拘束動作ができずに、取扱性が悪くなる。特許文献３では絞り輪の大きさも固定されて汎用性に欠ける。
【０００５】
本発明は上述した問題に鑑みてなされたもので、その目的とするところは、特別の加工をせずに基本の括りロープをそのまま利用し、括り動作の確実性を高めて使用でき、動物及びロープ種類を限定せずに汎用性に優れ、構造簡単であって安価に製造でき、捕獲後に剛性を有する操作体を分離可能とし、括りロープだけの拘束動作を可能として取扱性の良い括りロープ操作具を提供することである。
【課題を解決するための手段】
【０００６】
上記目的を達成するため、請求項１に係る括りロープ操作具は、
括りロープの絞り輪の分岐部分を載置可能な面積が確保され、面状材によって形成される摺動部と、
前記摺動部の一端が起立状態に形成される起立部と、
側面に位置する前記摺動部に対し、相対的に軸方向摺動可能に係合し、開口端が前記起立部と対向して前記摺動部の摺動動作によって、前記分岐部分を挟持可能とし、前記挟持時に括りロープの少なくとも一部を内部に収納できる筒形状の収納部と、
前記収納部の反開口端側に設けられ、長尺材の操作体が取付可能である接続部とで、構成される。
【０００７】
また、請求項２に係る括りロープ操作具は、上記請求項１に係る括りロープ操作具に対して、
上記接続部が長さ調節可能な長尺材であって上記操作体を兼用し、上記収納部から連続的に形成される。
【０００８】
また、請求項３に係る括りロープ操作具は、上記請求項１又は２に係る括りロープ操作具に対して、
上記括りロープがワイヤロープであり、上記絞り輪の分岐部分が絞り具であり、上記収納部と上記起立部とで前記絞り具が挟持される際、前記絞り具を係止する係止部が、前記収納部に設けられる。
【発明の効果】
【０００９】
上述した請求項１に係る括りロープ操作具であれば、基本の括りロープに対して特別の加工をせずに、括り動作の確実性を高めて使用でき、動物及びロープ種類を限定することなく汎用性に優れ、構造簡単であって安価に製造でき、捕獲後に剛性を有する操作体を分離可能として取扱性を高めている。また、請求項２に係る括りロープでは、操作体への取付作業を省略できる。更に、請求項３に係る括りロープでは、ワイヤロープに使用する絞り具を操作体にて安定させることができる。
【発明を実施するための最良の形態】
【００１０】
以下に、請求項１に対応する第１実施形態について図面を参照して説明する。図１は第１実施形態の括りロープ操作具１を示す断面図であり、繊維ロープが括りロープ３０として使用される場合である。括りロープ操作具１の構成部品は、摺動部２、起立部３、収納部４及び接続部５であり、点数も少なく簡単な構造であり安価に製造できる。また、図中符号３１は操作体の一例である操作パイプであり、３２は括りロープ３０の絞り輪、３３が結び部であり、３４が操作ロープである。
【００１１】
摺動部２は、面状材の一例である曲面板によって形成され、括りロープ３０の絞り輪３２の分岐部分である結び部３３が載置可能な面積を確保している（図１及び図２参照）。曲面板に限定されることなく、平板でもよく、また面状材も板材に限定されずに、網状面、格子状面等の公知面状材を利用できる。また、係合ピン６が立設状態にて、ねじ止め又は接着剤等によって固定されている。なお、固定手段は他の公知技術も広く利用できる。
【００１２】
起立部３は、図１に示すように、摺動部２の一端が起立状態に延長形成される。この起立状態は、垂直状態だけでなく、角度の付いた斜め状態に形成され、ロープ種類及び分岐部分の種類の変化に対応可能としている。
【００１３】
収納部４は、筒形状の一例である円筒であり、側面に位置する摺動部２に対し、相対的に軸方向摺動可能に係合する（図１中矢印方向）。摺動部２との摺動係合関係は、図１及び２に示すように、摺動部２の係合ピン６が、軸方向に長孔状に形成される収納部４の係合孔７に、適度の摩擦抵抗を有して摺動可能に係合すると同時に、摺動部２と収納部４とを重ね合わせ状態にしている。この摩擦抵抗によって、摺動部２と収納部４との相対的摺動具合が、手指の手動力にて多少抵抗を感じる程度に調整される。多少抵抗を感じる程度とは、全く抵抗なく緩い摺動でもなく、強い力を手指に入れるほどきつい摺動でもない。なお、係合孔７の摩擦抵抗の調整として、孔内側にゴム等を塗布する構成によって行うこともできる。また、摺動係合関係としては、上述の係合ピン6及び係合孔７との係合は一例でありこれに限定されることなく、他の機械的構成を利用できる。
【００１４】
収納部４は摺動部２と組み合わさった状態において、開口端８が起立部３と対向して摺動部２の摺動動作によって、結び部３３を挟持可能とし（図１参照）、この挟持時に括りロープ３０の一部又は結び部３３をも含めて、収納部４の内部９に収納できる。また、図２イに示すように、結び部３３を外して摺動部２を最も奥に摺動する場合、起立部３が蓋状態となる。また、図２ロに示す状態は、摺動部２が最も手前に引き出された状態であり、挟持状態の結び部３３が容易に外れる。
【００１５】
接続部５は、収納部４の開口端８の反対側である反開口端側に設けられ、操作パイプ３１が取付可能である。図１においては、接続部５と操作パイプ３１との取付は、ねじ結合となっている。なお、取付機構は、ねじ結合に限定されることなく、摩擦を利用する雄雌結合、ねじ止め、ボルト・ナット止め等の各種機構を採用できる。
【００１６】
上述した摺動部２等は、強度的保証が十分であれば、金属及び合成樹脂材を使用材料とする。特に軽量化、汎用性、低価格等が考慮されて材料選択される。
【００１７】
括りロープ３０の繊維ロープは、各種ロープが利用され、例えば、規格化された麻ロープ（ＪＩＳ  Ｌ  ２７０１）、ビニロンロープ（ＪＩＳ  Ｌ  ２７０２）等であり、また、繊維ロープに限定されずに、ワイヤロープ（例えば、ＪＩＳ  Ｇ  ３５２５の規格品）等の金属製も使用できる。また、分岐部分も単なる結び部３３によって形成されるだけでなく、公知の各種絞り具を使用することができる。ワイヤロープの絞り具については、後述する第４実施形態にて説明する。
【００１８】
操作パイプ３１は、長尺のパイプ材であり、接続部５に接続可能に一端がねじ加工される。また、複数の操作パイプ３１を継ぎ足し構造、又は、内外側に複数のパイプを順次設ける構造とすることによって、操作パイプ３１が伸縮自在の長さ調整可能に形成されることもできる。操作体としては、パイプ材に限定されることなく、中実状の棒材を利用することもでき、使用する材料も木材、金属、合成樹脂材等を利用できる。なお、操作パイプ３１は本発明の括りロープ操作具１の専用に形成されるだけでなく、他用途の道具である杖、槍等の柄を利用することも可能であり、接続部５との接続手段を合致させて括りロープ操作具１に接続して利用する。
【００１９】
次に、第１実施形態の括りロープ操作具１の使用動作について説明する。先ず、括りロープ操作具１の単品は、図２イに示すように、摺動部２が収納部４と重なってコンパクトに保管及び持ち運びできる。そして、特別な加工を施すことなく、基本の括りロープ３０と操作パイプ３１を用意し、摺動部２を摺動させ、結び部３３を載せ、摺動部２を収納部４方向へ再度摺動させ、結び部３３を挟持して組付け終えると図１に示す状態となる。ロープ及び動物に限定されず各種の大きさに、組付け動作が行えるので汎用性に優れる。図１の状態では、適度に選択された係合ピン６と係合孔７との摩擦抵抗によって、操作パイプ３１が不用意に軽く振り回し又は前後左右に動かされても、摺動部２が容易に摺動せず、結び部３３の挟持状態が維持されるので、括りロープ３０の絞り輪３２が勝手に絞られ、操作パイプ３１から分離することもない。このため、動物を括る際の確実性を高めることができる。
【００２０】
次に、対象の動物に対して、絞り輪３２が掛けられる瞬間に、動物又は操作パイプ３１の動きによってより強い力が作用すると、上述の係合摩擦抵抗に抗して、摺動部２が引き出される方向に摺動して、図２ロに示す状態になる。そして、結び部３３の挟持状態が開放され、括りロープ３０の結び部３３が括りロープ操作具１から分離し、他方、動物が絞り輪３２の絞り作用によって括りロープ３０に繋がれることとなる。そして、括りロープ３０の操作ロープ３４のみによって動物の動きを拘束でき、取扱性が向上する。
【００２１】
請求項１に対応する第２実施形態としては、図３に示すように、起立部３の先端が延長されて二股状の保形片１３となり、絞り輪３２の一部を載置可能とし、絞り輪３２の形を保つことができる。形を保つことで、動物の括り動作時に絞り輪３２が型崩れせずに使用できる。なお、図示省略するが、複数の線材等が保形片１３に立設されてロープ案内とすることもできる。
【００２２】
他の実施形態としては、摺動部２と収納部４との摺動可能な係合形態が各種採用できる。例えば、簡略表示している図４イに示すように、断面円形の収納部４が内側であり、摺動部２が外側となる二重管状態となり、図４ロでは収納部４と摺動部２との内外を逆に配設した二重管状態となっている。また、図４ハでは、断面円形の収納部４の側面の一部が、摺動部２として形成される場合である。更に、収納部４の断面形状も円形に限定されず、四角形、三角形等の多角形、又はだ円形等も採用される。摺動部２はこの断面形状に対応して各種面形状を採用する。
【００２３】
請求項２に対応する第３実施形態の括りロープ操作具は、図示を省略するが、接続部５が長さ調節可能な長尺のパイプ材であって操作パイプ３１を兼用し、収納部４から連続的に形成される。操作パイプ３１の接続部５への取り付けを不要とする。なお、操作パイプ３１の長さを固定する一例として、１乃至２ｍ程度の長さの操作パイプ３１の一端部が、括りロープ操作具１の接続部５及び収納部４となった場合、操作パイプ３１の長さを調節する必要のない場合に有効である。その他の構成・作用は第１実施形態と同じであり説明を省略する。
【００２４】
請求項３に対応する第４実施形態の括りロープ操作具１１としては、図５に示すように、摺動部１２が円弧板であり、収納部４の円管に対して二重管状態であり、接続部５付近の外周に円管状の係止部１０が摺動部２から連続して設けられている。この場合も構造簡単であり安価に製造できる。係止部１０は摺動部２と同時に摺動するが、摺動部２に連続させることに限定せず、収納部４へ固定して設けてもよい。係合ピン６及び係合孔７等の摺動関係は、上記第1実施形態と同様であり詳細な説明を省略する。また、括りロープ３０にワイヤロープを使用し、絞り輪３２の分岐部分が絞り具４１である。このワイヤロープ及び絞り具４１は、市販汎用品であり、入手容易である。そして、収納部４と起立部３とで絞り具４１が挟持される際、係止部１０は絞り具４１の一部を係止する位置に設けられている。
【００２５】
絞り具４１の構成は、金属製又は合成樹脂製の長板がV字状又はコ字状に折り曲げて形成され、左右端及び中央部分に左端孔４２，右端孔４３及び中央長孔４４を設ける。左端孔４２，中央長孔４４，右端孔４３順に括りロープ３０が通され、括りロープ３０が絞り輪３２を形成すると同時に、絞り具４１が絞り輪３２の分岐部分に該当する。この絞り具４１は、中央長孔４４が無抵抗となる絞り輪３２の絞れる方向の移動を可能とし、逆に抵抗となる絞り輪３２の緩められる方向への移動を不可能とする。このため、絞り輪３２を緩めるように、絞り輪３２に対して括りロープ３０を手送りする場合、中央長孔４４は無抵抗となり絞り輪３２を緩めることができる。
【００２６】
第４実施形態の括りロープ操作具１１の使用動作については、上述の第１実施形態の主要動作が同じであり、異なる点のみ説明する。即ち、絞り具４１が、図５に示すように、収納部４と起立部３との間にセットされる場合、左端孔４２側が係止部１０によって係止され、同時に右端孔４３側が起立部３によって押えられ、確実に安定したセット状態となる。そして、動物が絞り輪３２によって括られ、次に操作ロープ３４を引っ張って絞り輪３２が絞られる場合、図６に示すように、動物又は操作パイプ３１の動きによって摺動部１２が相対的に摺動して引き出され、絞り具４１が括りロープ操作具１１から完全に分離し、括りロープ３０のみによって動物の動きを拘束でき、取扱性が良くなる。
【産業上の利用可能性】
【００２７】
本発明は、犬，猫等の愛玩動物、羊，牛，馬等の家畜、及び猪，鹿等の狩猟獣，保護獣の首，足，鼻面，上顎等の各部位を括るための各種括りロープを操作する際に使用する括りロープ操作具に利用できる。
【図面の簡単な説明】
【００２８】
【図１】第１実施形態の括りロープ操作具の括りロープの結び部を挟持する状態を示す断面図である。
【図２】イは第１実施形態の括りロープ操作具の摺動部が最も奥に入った状態の断面図であり、ロは同じく摺動部が最も引き出された状態の断面図である。
【図３】第２実施形態の括りロープ操作具の起立部及び保形片を示す平面図である。
【図４】イは摺動部が外側であり、収納部が内側である場合の簡略断面図であり、ロは摺動部が内側であり収納部が外側の場合の簡略断面図であり、ハは摺動部が収納部の側面の一部である場合の簡略断面図である。
【図５】第４実施形態の括りロープ操作具の絞り具を挟持する状態を示す斜視図である。
【図６】同上の摺動部が最も引き出された状態の一部断面図である。
【符号の説明】
【００２９】
１，１１  括りロープ操作具  ２，１２  摺動部  ３  起立部  ４  収納部  ５  接続部  ６  係合ピン  ７  係合孔  ８  開口端  ９  内部  １０  係止部  １３  保形片  ３０  括りロープ  ３１  操作パイプ  ３２  絞り輪  ３３  結び部  ３４  操作ロープ  ４１  絞り具  
【図１】
2005253410.tif 000003
【図２】
2005253410.tif 000004
【図３】
2005253410.tif 000005
【図４】
2005253410.tif 000006
【図５】
2005253410.tif 000007
【図６】
2005253410.tif 000008